(57)【要約】【課題】  他種類の市販のドライバーに対しても、アシスト機能を発揮出来る。【解決手段】  手の平に当接される把持部１と、その把持部１に回転可能に取り付けられた軸２と、その軸２に固定された指係止部１００と、軸２に固定され、その軸２に平行で、少なくとも対向する２面を有し、さらにその２面にボルト穴７１を有する台部７と、台部７の２面のそれぞれに当接出来る形状を有し、ボルト穴７１に対応した貫通孔９１を有する、２枚の押さえ板９と、２枚の押さえ板９の貫通孔９１を通して、台部７のボルト穴７１に螺合される２本のボルト８とを、備えた、ドライバー回転アシストアダプター。【選択図】図２
2011156653.tif 000002
【特許請求の範囲】
【請求項１】
手の平に当接される把持部と、
その把持部に回転可能に取り付けられた軸と、
その軸に固定された指係止部と、
前記軸に固定され、その軸に平行で、少なくとも対向する２面を有し、さらにその２面にボルト穴を有する台部と、
前記台部の前記２面のそれぞれに対面する形状を有し、前記ボルト穴に対応した貫通孔を有する、２枚の押さえ板と、
前記２枚の押さえ板の貫通孔を通して、前記台部のボルト穴に螺合される、少なくとも２本のボルトとを、備えた、ドライバー回転アシストアダプター。
【請求項２】
前記指係止部は、２枚のＵ字型の部材がそれぞれの底部同士十文字型に連結され、それらの４つの先端部は、前記軸の周辺に広がって形成されている、請求項１記載のドライバー回転アシストアダプター。
【請求項３】
前記押さえ板の、前記台部の２面に対面する側の壁面の所定の場所に所定の形状の溝が前記軸方向へ形成されている、請求項２記載のドライバー回転アシストアダプター。
【発明の詳細な説明】
【技術分野】
【０００１】  本発明は、ドライバーの回転をアシストする工具に関する。
【背景技術】
【０００２】  従来、例えば、特許文献１に示すようなドライバーの回転をアシストするアダプターが知られている。【０００３】  このアダプターは、ドライバーを抵抗なく回転できるように、手の平に当てられ保持される保持部と、その保持部に回転可能に取り付けられた軸と、その軸に固定され、指が引っかけられる、十字型のＵ字クリップとを備えている。【０００４】  使用の際には、ドライバーの柄の部分をその十文字型Ｕ字クリップの間に挿入し、ドライバーヘッドの部分を、ドライバー固定金具に挟みこむ形で固定して、回転方向の力に対応し、その中間部をそのクリップの先端のバネ力によって保持、抜け防止をする。【０００５】  そして、保持部を手の平に当てながら、指でＵ字クリップを回転させる。その結果、ドライバーは回転する。【０００６】  十文字型Ｕ字クリップはドライバーの柄の部分より太いので、より小さな力でドライバーを回転できる優れた効果を発揮する。
【先行技術文献】
【特許文献】
【０００７】
【特許文献１】特開２００８−１６８４１８
【発明の開示】
【発明が解決しようとする課題】
【０００８】  しかしながら、上記アシストアダプターは、基本的に専用のドライバーのみ使用できるようになっている。【０００９】  具体的には、十文字型Ｕ字クリップを採用している結果、クリップで形成される空間は４角形をなしている。そのため回転アシストの力が伝わり易いように、保持されるドライバーの柄の部分も四角形である必要があり、さらにそのサイズも固定されてしまう。【００１０】  一方、市販されているドライバーには様々な形状、大きさ、ビットの種類等があり、個人の好みもあるので、それらも扱えるようになれば、バリエーションが増え、より便利になる。【００１１】  本発明は、このようなより多くの種類のドライバーにも適用可能な、ドライバー回転アシストアダプターを提供することを目的とする。
【課題を解決するための手段】
【００１２】  第１の本発明は、
手の平に当接される把持部と、
その把持部に回転可能に取り付けられた軸と、
その軸に固定された指係止部と、
前記軸に固定され、その軸に平行で、少なくとも対向する２面を有し、さらにその２面にボルト穴を有する台部と、
前記台部の前記２面のそれぞれに当接出来る形状を有し、前記ボルト穴に対応した貫通孔を有する、２枚の押さえ板と、
前記２枚の押さえ板の貫通孔を通して、前記台部のボルト穴に螺合される、少なくとも２本のボルトとを、備えた、ドライバー回転アシストアダプターである。【００１３】  第２の本発明は、
前記指係止部は、２枚のＵ字型の部材がそれぞれの底部同士十文字型に連結され、それらの４つの先端部は、前記軸の周辺に広がって形成されている、第１の本発明のドライバー回転アシストアダプターである。【００１４】  第３の本発明は、
前記押さえ板の、前記台部の２面に対面する側の壁面には溝が前記軸方向へ形成されている、第２の本発明のドライバー回転アシストアダプターである。【００１５】  なお、本発明に関連するより具体的な発明として、
前記指係止部は、前記軸に取り付けられた軸止め板と、前記軸止め板の下面に当接された前記１枚の上側Ｕ字型部材と、前記上側Ｕ字型部材の下面に、その一方の十文字部分が当接された十字型部材と、前記十字型部材の残る他方の十文字部分の下面に当接された前記１枚の下側Ｕ字型部材とで、構成されている、第２の本発明のドライバー回転アシストアダプターである。【００１６】  本発明においては、使用時には、先ずボルトを緩め、２枚の押さえ板同士の間隔を広くする。それからドライバーの柄の頭の部分をその押さえ板同士の間隔の間に挿入し、その状態で指でボルトを回転させて、押さえ板を締め付ける。【００１７】  それによって、ドライバーの柄は押さえ板の内側壁面によって挟まれ固定される。また押さえ板は台部にボルトによって固定される。【００１８】  この状態で、把持部を手の平に当て、指係止部を指で回転させることで、軸に固定された台部が回転し、ドライバーも回転することになる。
【発明の効果】
【００１９】  本発明のドライバー回転アシストアダプターによれば、ヘッドサイズの違う、市販の多種類のドライバーをセット出来、そして小さな力でアシスト出来るという優れた効果を発揮出来る。
【図面の簡単な説明】
【００２０】
【図１】本発明のドライバー回転アシストアダプターの一実施の形態の斜視図。
【図２】図１のドライバー回転アシストアダプターの分解斜視図。
【図３】図１の押さえ板、ドライバーの柄の部分の下面図。
【図４】本発明のドライバー回転アシストアダプターの同実施の形態の作用説明図。
【発明を実施する為の最良の形態】
【００２１】  図１は本発明のドライバー回転アシストアダプターの一実施の形態を示す斜視図である。図２はその、ドライバーを省略した分解斜視図である。
【００２２】  把持部１は使用時に手の平が当接し包み込まれる部分である。軸２はこの把持部１に回転自在に連結された軸である。その連結の仕方は任意であり公知の手法を使え、ベアリングを用いても構わない。
【００２３】  その軸２には４角形の軸止め板３が固定されている。その固定の方法は任意であるが、本実施の形態では、中央位置に軸２が貫通する孔３０が形成され、他方側壁に軸止め用穴３１が設けられ、ネジで軸２に固定する構造となっている。貫通する孔３０の両側にはネジ用の孔３２が設けられている。
【００２４】  さらに、この軸止め板３の下面には上側Ｕ字型部材４が取り付けられている。このＵ字型部材４は、金属製の細長い板であり、Ｕ字状に屈曲形成されたものである。そしてその底部の中央には軸２が貫通する孔４０が設けられ、またその両側にはネジの通る孔４２が２つ設けられている。
【００２５】  また、この上側Ｕ字型部材４の下面には十字型の金具部材５が取り付けられている。この部材５は十字型をしており、その一方の十文字部分５１が上記上側Ｕ字型部材４の下面に当接している。また、その中央には軸２が貫通する孔が設けられ、また、それぞれの十文字部分にはネジ孔５０が切られている。
【００２６】  また、この十文字金具部材５のネジ穴５０と、上述した軸止め板３のネジ用の孔３２と、上側Ｕ字型部材４のネジ孔４２とはそれぞれ対応する位置に形成され、ネジによって互いに固定されている。
【００２７】  この十文字金具部材５の下面には、下側Ｕ字型部材６が当接している。具体的には、十文字金具部材５の残る他方の十文字部分５２の下面に下側Ｕ字型部材６の上面が当接している。
【００２８】  従って、上側Ｕ字型部材４と、下側Ｕ字型部材６とは、結局それらの底部同士がクロスするように十文字型に連結されていることになる。そして、それぞれの先端部４１，６１は軸２の周囲にほぼ平行に広がって配置されていることになる。
【００２９】  また、これら軸止め板３と、上側Ｕ字型部材４と、十字型部材５と、下側Ｕ字型部材６とで、本発明の指係止部１００を構成している。
【００３０】  さらに、下側Ｕ字型部材６の下面には、断面Ｔ字型をした台部７が取り付けられている。この台部７の軸２と平行な４つの面のうち、下側Ｕ字型部材６に対向する、互いにも対向している２面にはそれぞれボルト穴７１が設けられている（隠れている方は図示省略）。また、下側Ｕ字型部材６の底部に平行であって、軸２と直交する面にはそれぞれネジ孔７３，７３が設けられている。
【００３１】  このネジ孔７３と対応する、下側Ｕ字型部材６と、十字型部材５の位置には、ネジ用の孔（図示省略）が形成されており、ネジによって、これら台部７、下側Ｕ字型部材６と、十字型部材５とが一体に固定されている。
【００３２】  さらに、台部７の、前記ボルト穴７１が設けられた２面にはそれぞれ押さえ板９，９が配置されている。この押さえ板９の上部にはボルト用貫通孔９１が設けられている。
【００３３】  この貫通孔９１にボルト８が挿入され、さらにボルト８の先端が台部７のボルト用穴７１に螺合することで、押さえ板９が台部７に緩やかに連結されている。ボルト８を締めていくと、押さえ板９，９はその互いの間隔を縮小しながら近づいていくことになる。
【００３４】  この押さえ板９は、ほぼ四角形をしているが、その内側の壁面９２、つまり、台部７に対面する側の壁面９２には、軸２の方向に、溝９３がそれぞれ形成されている。
【００３５】  この溝９３に、ドライバー１０の柄部１０１の凸条１０２が嵌り込むことになる。
【００３６】  次に、使用方法を説明する。
【００３７】  まず、指でボルト８を緩め、押さえ板９，９の互いの間隔を広げておく。
【００３８】  その状態で、使おうとするドライバー１０の柄部１０１の頭部をその開いている押さえ板９，９の間に差し込む。
【００３９】  その状態で、指でボルト８，８を締め付けていく。その際、押さえ板９，９の内壁９２の溝９３内にドライバー１０の凸条１０２が嵌り込むように少し調節させて安定するようにして、固定する。
【００４０】  図３は図１の下から見た、ドライバー１０と、押さえ板９と、ボルト８との図面である。分かり易くするため、図１、図２とは少し構成が異なっている。このように、ドライバーの凸条１０２が押さえ板９の溝９３に嵌り込む。
【００４１】  その後、手の平に、把持部１を当てて、上側、下側Ｕ字型部材４，６の先端部４１，６１，に指を掛けて回転させる。先端部４１，６１はドライバー１０の把持部１０１よりかなり大きいサイズなので、小さい力で容易に回転することができる。
【００４２】  別のドライバー１０を使う時には、ボルト８を緩めて同じ手順を踏めばよいことになる。
【００４３】  なお、市販のドライバーの中には、その柄の部分１０１の部分に凸条１０２が無いものもある。しかし、押さえ板９の溝９３があっても、図４に示す通り特に問題になることはない。接触部分は図面上は小さいように見えるが、図１，図２から分かるように軸２の方向に長い線接触しているので、回転力に支障は無い。
【００４４】  なお、図２において、台部７の、下側Ｕ字型部材６に対面しない側の２面にそれぞれボルト穴７２を形成しておき、そちら側の２面に押さえ板９，９を配置して、ボルト８，８でドライバー１０を締め付けることも可能で在る。
【産業上の利用可能性】
【００４５】  本発明のドライバー回転アシストアダプターによれば、市販の多種類のドライバーに対しても、小さな力でアシスト出来るという優れた効果を発揮出来、ドライバーを用いる技術分野で有効である。
【符号の説明】
【００４６】１  把持部
２  軸
３  軸止め板
４  上側Ｕ字型部材
５  十字型部材
６  下側Ｕ字型部材
７  台部
８  ボルト
９  押さえ板
１０  ドライバー
【図１】
2011156653.tif 000003
【図２】
2011156653.tif 000004
【図３】
2011156653.tif 000005
【図４】
2011156653.tif 000006